(57)【要約】【課題】表示部に表示される選択画面の中から所望する項目を、キーの個数を増やすことなく、簡単に起動させることができる携帯端末装置を提供する。【解決手段】少なくとも表示部１２と複数のキーからなる操作部１０を有する携帯端末装置６０において、表示部１２に表示される選択画面６２中の複数の選択項目が、操作部１０のキーの配列の全部又は一部と一対一に対応した配列で配置され、かつ選択画面６２中の各選択項目が、当該各選択項目と同じ配列位置にある操作部１０のキー操作により起動するようにした。【効果】表示部に表示される選択画面の中から所望する項目を、キーの個数を増やすことなく、かつ少ない操作回数で簡単に起動させることができる。【選択図】      図１
2004179870.tif 000002
【特許請求の範囲】
【請求項１】
少なくとも表示部と複数のキーからなる操作部を有する携帯端末装置において、
前記表示部に表示される選択画面中の複数の選択項目が、前記操作部のキーの配列の全部又は一部と一対一に対応した配列で配置され、
かつ前記選択画面中の各選択項目が、当該各選択項目と同じ配列位置にある操作部のキー操作により起動するようにした
ことを特徴とする携帯端末装置。
【請求項２】
前記選択画面の複数の選択項目が、前記操作部のテンキーの配列に対応した配列で配置されるようにしたことを特徴とする請求項１に記載の携帯端末装置。
【請求項３】
前記選択画面の複数の選択項目が、前記操作部のファンクションキーの配列に対応した配列で配置されるようにしたことを特徴とする請求項１に記載の携帯端末装置。
【発明の詳細な説明】
【０００１】
【発明の属する技術分野】
本発明は、携帯電話機やＰＤＡ（Ｐｅｒｓｏｎａｌ  Ｄｉｇｉｔａｌ  Ａｓｓｉｓｔａｎｔｓ）等のように、表示部と複数の操作キーからなる操作部を備えて、これを操作することにより、搭載されている種々の機能を利用することができる携帯端末装置に関するものである。
【０００２】
【従来の技術】
【特許文献１】特開２０００−１１５３４５号公報
【０００３】
一般に、表示部を有する携帯端末装置として、図４に示すような携帯電話機２が、よく知られている。この携帯電話機２は、筐体の１つの面に、十字キー４やテンキー６及びファンクションキー８等からなる操作部１０、出力情報を表示するＬＣＤ（液晶ディスプレイ）等の表示部１２、スピーカー１４、マイク１６及びカメラ１８を備えている。
【０００４】
この携帯電話機２に搭載されている各種の機能を、表示部１２の選択画面の項目の中から選択して利用する場合や、その機能中の詳細な選択画面における複数の項目の中から、特定の項目を選択してこれに対応する動作をさせたいような場合には、いずれの項目を利用又は動作させたいのかを、そのときのユーザーの操作に応じて表示部１２に出力される各種の選択画面の項目の中から、十字キー４の操作により所望の項目を選択及び決定して起動させるようになっている。
【０００５】
例えば、図４に示すように、この携帯電話機２に搭載されている各種の機能の中からいずれの機能を利用するかを選択することができるように、表示部１２に出力される選択画面２０には、項目としてのアイコンが２次元的に配置されるようになっている。
【０００６】
そして、これらのアイコンの中の一つが枠２２で囲まれるようになっていて、ユーザーは十字キー４を上下左右に操作してその枠２２を移動させ、これらのアイコンの中から利用しようとするものを選択した後、十字キー４の中心部を押し込むことによりそのアイコンに決定して起動させるようになっている。
【０００７】
また、このような携帯電話機２とは別の携帯電話機として、前記特許文献１に記載される発明のように、十字キー４の代わりとして、テンキー６に用いられるようなプッシュ式のキーと同じ構造を有する複数のキーを、テンキー６とは別個に設けた、図５に示すような携帯電話機３０がある。
【０００８】
この携帯電話機３０の表示部３２には、項目を一覧することができるような選択画面は表示されず、図５に示すように、表示部３２に表示される画面３４の中段３６を左右方向にスクロール動作させて、表示部３２の中段部分の中央に固定して出力表示される括弧３８の内側に、選択しようとする項目を順にスクロール移動させるようになっている。
【０００９】
そのため、画面３４の中段３６を左右方向にスクロール動作させるためのスクロールキー４０，４２、及びスクロール動作により括弧３８の内側に表示させた項目を決定するための決定キー４４を、テンキー６等の一般的なキーとは区別して設けるようになっている。
【００１０】
これらのスクロールキー４０，４２及び決定キー４４は、表示部３２のすぐ下側に互いに隣接して配置され、画面３４の下段４６には、スクロールキー４０，４２及び決定キー４４の役割内容がマークや文字で表示されるようになっている。
【００１１】
すなわち、画面３４の下段４６の左側には左方向を指す三角形のマーク４８が表示されているので、スクロールキー４０を押すことにより、画面３４の左側の項目を次々と表示させる（画面３４は右へ流れる）ことができる。また、画面３４の下段４６の右側には右方向を指す三角形のマーク５０が表示されているので、スクロールキー４２を押すことにより、画面３４の右側の項目を次々と表示させる（画面３４は左へ流れる）ことができる。
【００１２】
そして、このようなスクロール動作をして、選択しようとする項目を括弧３８の内側に表示させた後、決定キー４４を押すことにより、その選択した項目に決定することができるようになっている。
【００１３】
また、携帯電話機３０は、利用しようとする機能により選択することのできる項目が３項目以下になる場合に限って、スクロール動作をさせる必要がないので、表示部３２に表示される画面の下段に左右方向を指す三角形のマーク４８，５０を表示せずに、スクロールキー４０，４２及び決定キー４４に対応する項目そのものを表示することができる。
【００１４】
例えば、名前を入力することができる、図６に示すような画面５２では、この画面５２の下段５４に、漢字変換のために必要な項目そのものが、スクロールキー４０，４２及び決定キー４４に対応して表示されている。
【００１５】
【発明が解決しようとする課題】
しかしながら、図４や図５に示す従来の携帯電話機２や携帯電話機３０のような携帯端末装置では、所望の項目を起動させるためには、その操作に手間がかかるという問題があった。
【００１６】
すなわち、図４に示す携帯電話機２のような携帯端末装置においては、表示部１２に表示される選択画面２０の中から所望の項目を選択するために、十字キー４による上下左右方向の操作を何回も行なった後、さらに選択した項目を決定するために十字キー４の中心部を押し込まなければ、その項目を起動させることができないため、所望の項目の機能を起動させるのに時間がかかるという問題があった。
【００１７】
また、図５に示す携帯電話機３０のような携帯端末装置においては、所望の項目を選択するために、通常はスクロールキー４０，４２による操作を何回も行なって画面３４の中段をスクロールさせることにより、表示部３２の中段部分の中央に固定して表示される括弧３８の内側にその項目を移動させ、さらに決定キー４４の操作をしなければ、その項目を起動させることができないため、所望の項目の機能を起動させるのに時間がかかるという問題があった。
【００１８】
また、携帯電話機３０のように、スクロールキー４０，４２や決定キー４４を複数個設けて、これらにより表示部３２に出力される画面３４に対応する操作を行なうようになっている場合には、テンキー６やファンクションキー８以外に、これらのキーの個数分だけ増加するために、キーの総数が増加し、これに伴い装置を小型化する上で支障となると共に、回路が複雑化するという問題もあった。
【００１９】
また、図６に示すように、画面５２の下段５４に表示されている「検索」、「決定」、「変換」のような項目そのものは、３項目以内しかスクロールキー４０，４２や決定キー４４に対応させることができない。表示される項目の数が３項目を超えるような場合にも対応させることができるようにするためには、スクロールキー４０，４２や決定キー４４だけでは足りず、３項目を超えた分だけ、さらに表示部３２の周辺にキーを増設する必要があり、装置小型化の支障や回路の複雑化の問題が顕著になる。
【００２０】
そこで本発明は、上記問題点に鑑みて、表示部に表示される選択画面の中から所望する項目を、キーの個数を増やすことなく、かつ少ない操作回数で簡単に起動させることができる携帯端末装置を提供することを課題とするものである。
【００２１】
【課題を解決するための手段】
上記課題を解決するために、本発明は、
少なくとも表示部と複数のキーからなる操作部を有する携帯端末装置において、
前記表示部に表示される選択画面中の複数の選択項目が、前記操作部のキーの配列の全部又は一部と一対一に対応した配列で配置され、
かつ前記選択画面中の各選択項目が、当該各選択項目と同じ配列位置にある操作部のキー操作により起動するようにしたことを特徴とするものである。
【００２２】
このような携帯端末装置によれば、表示部に表示される選択画面中の複数の選択項目が、操作部のキーの配列の全部又は一部と一対一に対応した配列で配置され、かつ選択画面中から所望の選択項目を選んで起動させる場合、前記所望の選択項目と同じ配列位置にある操作部のキー操作によって前記所望の選択項目の機能を起動させるようにしたことから、その項目を選択する操作及びその項目に決定する操作を同時に、かつ一つの動作で実行することができるため、ユーザーは所望の選択項目を、少ない操作回数で簡単にかつ迅速に起動させることができる。
【００２３】
また、選択画面中の項目は、キーの配列に合わせて配置し表示するので、新たなキーを設ける必要がなく、携帯端末装置の小型化に支障をきたすことや回路が複雑化することもない。
【００２４】
なお、本発明において、選択画面とは、複数の項目を有し、いずれか一つを選択することができる画面のことであり、例えば、携帯端末装置に組み込まれている機能を項目的に表示した画面や、特定の機能中にさらに設けられた選択項目からなる画面等のことをいう。
【００２５】
【発明の実施の形態】
以下、本発明に係る携帯端末装置の実施の形態について、図面に基づいて具体的に説明する。
【００２６】
図１ないし図３は、本発明の携帯端末装置の一実施の形態に係る、携帯電話機６０について説明するために参照する図である。これらの図に示す携帯電話機６０は、表示部１２に表示される表示内容以外の外観構成が前記従来の携帯電話機２と全く同じであるため、重複する説明は省略するものとする。
【００２７】
携帯電話機６０は、電源を入れたばかりのとき、又は待受け状態で何等かのキーを操作したときには、図１に示すような選択画面６２が、表示部１２に出力される。この選択画面６２には、テンキー６の配列に対応させて、携帯電話機６０の機能項目としてのアイコンが配置されるようになっている。
【００２８】
これらのアイコンは、図１中に示されているように、それぞれが枠で囲まれて表示されなければならないものではないが、本実施の形態においては、それぞれのアイコンが、テンキー６内の所定のキーに対応していることを、ユーザーが容易に認識することができるようにするために、それぞれのアイコンは略矩形の枠で囲まれるようにしている。また、同様にユーザーの認識を容易にするため、枠内部の左上部には対応するテンキー６内のキーの数字が表示されるようになっている。
【００２９】
さらにユーザーの認識を容易にするために、選択画面６２の背景の色を携帯電話機６０が有する色と同じにして、それぞれのアイコンを囲む枠内部をテンキー６の色と同じ色で表示するようにしてもよく、また図示しないが、それぞれのアイコンを囲む枠をキーと同じ形状にしてもよい。
【００３０】
図１中の選択画面６２においては、アドレス帳機能のアイコンが、テンキー６の配列における「１」の位置に対応して配置されている。また、メモ帳機能のアイコンが、テンキー６の配列における「２」の位置に対応して配置されている。
【００３１】
そして、テンキー６の数字「３」以降のキーについても、これらのキーに対応して各種機能の項目としてのアイコンが、テンキー６の配列におけるそれぞれの位置に配置されている。また、選択画面６２において、テンキー６の「＊」及び「＃」のキーに対応する位置には、アイコンが配置されておらず、これらのキーに対応する項目のないことが分かる。
【００３２】
また、アドレス帳機能のアイコンが太線の枠６４で囲まれて表示されているので、ユーザーはアドレス帳機能のアイコンが選択されていることを、一見して認識することができる。
【００３３】
図２は、携帯電話機６０の回路を示すブロック図である。符号６６に示す各種機能部、表示部１２、カメラ１８、スピーカー１４、マイク１６は制御部６８に制御されて動作するようになっている。また、操作部１０内の十字キー４、テンキー６、ファンクションキー８が操作された場合には、その操作に対応する信号が制御部６８に出力される。
【００３４】
次に、表示部１２に表示される選択画面６２中のアイコンに対応する機能を起動させるための動作について以下に説明する。第１の方法は、従来の携帯電話機２と同様に、十字キー４の操作による方法である。
【００３５】
図１に示すように、表示部１２に選択画面６２が表示されているときに、十字キー４が上下左右に操作されると、制御部６８は、この操作の信号を受けて、選択画面６２中の太線の枠６４を、十字キー４の操作された方向に１つづつ移動させていく。そして、十字キー４の中心部を押し込む操作がされると、制御部６８は、この操作の信号を受けて、太線の枠６４で囲まれているアイコンに対応する機能を起動させるようになっている。
【００３６】
例えば、携帯電話機６０の選択画面６２の中から、Ｃメール機能を起動させたい場合には、最初はアドレス帳機能のアイコンが太線の枠６４で囲まれて選択されている状態から、十字キー４を下方向に２回移動させ、さらに右方向に１回移動させてＣメール機能のアイコンに太線の枠６４を移動させて選択した後、十字キー４の中心部を押し込むことによりＣメール機能のアイコンに決定して、Ｃメール機能を起動させることができる。
【００３７】
また、このような第１の方法とは別の第２の方法として、制御部６８は表示部１２に選択画面６２が表示されていることを検知した場合、所望する機能のアイコンが配置される位置に対応する、テンキー６の中のキーを押すことにより、制御部６８が操作されたキーからの信号を受けて、これに対応する機能を起動させることができるようになっている。
【００３８】
例えば、Ｃメール機能を起動させたい場合には、表示部１２に表示される選択画面６２において、いずれのアイコンが太線の枠６４で囲まれて選択されている状態にあるかに関わらず、Ｃメール機能のアイコンが配置されている位置に対応する、テンキー６の「８」のキーを押すだけで、直ちにＣメール機能を起動させることができる。
【００３９】
このように、所望する機能のアイコンが配置される位置に対応するキーを押すという動作により、アイコン（項目）の「選択」についての操作と「決定」についての操作を、同時かつ一動作で行うことができるようになるので、十字キー４の操作による方法よりも簡単に起動させることができる。
【００４０】
なお、本実施の形態においては、各種の機能を選択することができる選択画面６２について説明したが、その各種機能中の詳細な選択画面においても、その選択画面が複数の項目の中から特定の項目を選択するようになっているような場合には、これらの複数の項目をテンキー６に対応させて表示させるようにすることができる。
【００４１】
また、本実施の形態においては、選択画面６２のアイコン（項目）の配置をテンキー６に対応させるようにしたが、図３に示すような選択画面７０を表示部１２に表示して、この選択画面７０内の項目の配置をファンクションキー８に対応させるようにしてもよい。また、この選択画面７０のように、項目をアイコンとして表示せずに文字のみによって表示するようにしてもよい。
【００４２】
また、図示しないが、表示部１２に表示される選択画面の項目は、テンキー６とファンクションキー８の両方に対応させるようにしてもよいし、これらの一部のみに対応させるようにしてもよい。さらに、操作部１０が配置される面以外の面に複数の補助的操作キーが設けられるような場合には、これらに対応させるようにしてもよい。
【００４３】
また、本実施の形態においては、本発明を携帯電話機に適用した場合について説明したが、本発明は、ＰＤＡ等のような他の種類の携帯端末装置についても、同様の技術的思想に基づいて、適用することができる。
【００４４】
また、本発明は、筐体が一つで構成される携帯端末装置だけではなく、２以上の筐体が連結して構成されるような携帯端末装置にも、適用することができる。
【００４５】
例えば、本発明は、表示部を有する筐体と操作部を有する筐体がヒンジを介し折り畳み自在に連結して構成されるような重ね型携帯端末装置や、表示部を有する筐体と操作部を有する筐体がボールジョイント等を介して連結されることにより、折り畳み動作と共に捻り動作も可能となるように構成されて、常に表示面が外側を向くようにすることができる重ね型携帯端末装置にも適用することができる。
【００４６】
或いは、一方の筐体に設けられた表示部と他方の筐体に設けられた操作部が同じ方向を向くようにして重ねられた状態で、これら２つの筐体を貫く方向に設けられた軸により連結されて、扇子のように開閉動作をすることができるように構成された重ね型携帯端末装置にも適用することができる。
【００４７】
【発明の効果】
以上に説明したように、本発明による携帯端末装置によれば、表示部に表示される選択画面の項目が、操作部のキー配列の全部又は一部と一対一に対応した配列で配置されるので、選択画面中において所望の項目が配置されている位置に対応する操作部のキーを操作することにより、その項目を選択する操作及びその項目に決定する操作を同時かつ一動作で行うことができるようになるので、ユーザーは所望する項目を、少ない操作回数で簡単かつ迅速に起動させることができる。
【００４８】
また、選択画面中の項目は、キーの配列に合わせて配置し表示するので、新たなキーを増設する必要がなく、携帯端末装置の小型化に支障をきたすことや回路が複雑化することもない。
【図面の簡単な説明】
【図１】本発明の一実施の形態に係る携帯電話機の表示部にテンキーに対応する選択画面を表示させたものを示す正面図である。
【図２】図１における携帯電話機の回路を示すブロック図である。
【図３】図１における携帯電話機の表示部にファンクションキーに対応する選択画面を表示させたものを示す正面図である。
【図４】従来の携帯電話機の表示部に選択画面を表示させたものを示す正面図である。
【図５】従来の他の携帯電話機の表示部に選択画面を表示させたものを示す正面図である。
【図６】図５における表示部に他の選択画面を表示させたものを示す部分拡大図である。
【符号の説明】
２  携帯電話機
４  十字キー
６  テンキー
８  ファンクションキー
１０  操作部
１２  表示部
１４  スピーカー
１６  マイク
１８  カメラ
２０  選択画面
２２  枠
３０  携帯電話機
３２  表示部
３４  画面
３６  中段
３８  括弧
４０，４２  スクロールキー
４４  決定キー
４６  下段
４８，５０  三角形のマーク
５２  画面
５４  下段
６０  携帯電話機
６２  選択画面
６４  太線の枠
６６  各種機能部
６８  制御部
７０  選択画面
【図１】
2004179870.tif 000003
【図２】
2004179870.tif 000004
【図３】
2004179870.tif 000005
【図４】
2004179870.tif 000006
【図５】
2004179870.tif 000007
【図６】
2004179870.tif 000008